(57)【特許請求の範囲】
【請求項１】
バーナを具備する燃焼式調理器であって、制御部と表示部とを備え、制御部は、設定変更操作で各種機能の設定画面を表示部に表示させ、設定画面が表示された機能の設定操作を行うことで当該機能を実現するように設定され、これら各種機能のうちに、調理器の使用燃料が液化石油ガスである場合には実現不可能な所定機能が含まれ、この所定機能は、調理器から送信される調理器の運転指示信号及び運転状態信号に基づいて換気装置を制御する機能を持つガス警報器と調理器との間での通信を行う警報器連動機能であるものにおいて、
制御部は、使用燃料が液化石油ガスである場合、設定変更操作を行っても前記警報器連動機能の設定画面を表示部に表示させないように構成されることを特徴とする燃焼式調理器。
【発明の詳細な説明】
【技術分野】
【０００１】
本発明は、バーナを具備する燃焼式調理器であって、制御部と表示部とを備えるものに関する。
【背景技術】
【０００２】
従来、調理器の運転指示信号及び運転状態信号を換気扇に送信し、調理器の運転開始と同時に換気扇を作動させると共に、換気扇の回転数をバーナの火力に応じて変化させるようにしたものが知られている（例えば、特許文献１参照）。
【０００３】
ところで、室内の空気質がゴミ等から発生する臭気により悪化することがある。そこで、本願出願人は、先に、特願２０１５−１９４９１４により、可燃ガスを検知可能で、且つ、空気質の悪化も検知可能なガス警報器を室内に設置し、調理器とガス警報器との間での通信とガス警報器と換気装置との間での通信とを可能として、調理器から送信される調理器の運転指示信号及び運転状態信号に基づきガス警報器を介して換気装置を制御すると共に、可燃ガスが放出されたときや臭気により室内の空気室が悪化したときにもガス警報器からの信号で換気装置を作動させるようにした換気システムを提案している。
【０００４】
上記換気システムに対応する調理器の制御部は、上記換気システムを構築するために、ガス警報器と調理器との間での通信を可能にする警報器連動機能を実現するように設定されている。具体的に説明すれば、調理器の表示部に設定変更操作で警報器連動機能の設定画面を表示させ、この状態で設定操作を行うことにより、ガス警報器に信号が送信され、ガス警報器から調理器にアンサ信号が送信され、これにより警報器連動機能を実現するように設定される。
【０００５】
但し、臭気は一般的に比重が空気より軽いため、臭気による空気質の悪化を検知するには、ガス警報器を室内の上部に設置する必要がある。然し、調理器の使用燃料が液化石油ガスである場合には、比重が空気より重いため、ガス警報器を室内の下部に設置する必要があり、上記先願の換気システムは使用できない。従って、使用燃料が液化石油ガスである調理器は、警報器連動機能が実現不可能となっている。
【０００６】
ここで、調理器の表示部に設定変更操作で表示される画面は使用燃料の種類に拘らず同じであり、使用燃料が液化石油ガスである調理器でも、表示部に設定変更操作で警報器連動機能の設定画面が表示されてしまう。これにより、警報器連動機能の設定ができないのに、ユーザが警報器連動機能の設定操作を行ってしまい、ユーザに故障との誤解を与えてしまう。
【先行技術文献】
【特許文献】
【０００７】
【特許文献１】特開２００２−１４７８０６号公報
【発明の概要】
【発明が解決しようとする課題】
【０００８】
本発明は、以上の点に鑑み、実現不可能な機能の設定画面の表示でユーザに誤解を与えることを防止できるようにした燃焼式調理器を提供することをその課題としている。
【課題を解決するための手段】
【０００９】
上記課題を解決するために、本発明は、バーナを具備する燃焼式調理器であって、制御部と表示部とを備え、制御部は、設定変更操作で各種機能の設定画面を表示部に表示させ、設定画面が表示された機能の設定操作を行うことで当該機能を実現するように設定され、これら各種機能のうちに、調理器の使用燃料が液化石油ガスである場合には実現不可能な所定機能が含まれ、この所定機能は、調理器から送信される調理器の運転指示信号及び運転状態信号に基づいて換気装置を制御する機能を持つガス警報器と調理器との間での通信を行う警報器連動機能であるものにおいて、制御部は、使用燃料が前記液化石油ガスである場合、設定変更操作を行っても前記警報器連動機能の設定画面を表示部に表示させないように構成されることを特徴とする。
【００１０】
本発明によれば、使用燃料が液化石油ガスの場合には、表示部に実現不可能な所定機能である警報器連動機能の設定画面が表示されないため、警報器連動機能の設定操作を行うことでユーザに故障との誤解を与えてしまうことを防止できる。
【図面の簡単な説明】
【００１１】
【図１】本発明の実施形態の燃焼式調理器を含む換気システムを示す説明図。
【図２】実施形態の燃焼式調理器の斜視図。
【図３】実施形態の燃焼式調理器に設けられた操作盤の平面図。
【図４】実施形態の燃焼式調理器に設けられた表示部に表示される画面の変化を示す図。
【発明を実施するための形態】
【００１２】
図１を参照して、１は本発明の実施形態の燃焼式調理器であるビルトイン式のガスコンロである。ガスコンロ１の上方には換気装置であるレンジフード２が設けられ、更に、ガスコンロ１を設置した室内の上部にはガス警報器３が設けられている。そして、これらガスコンロ１とレンジフード２とガス警報器３とで後述する換気システムが構築される。
【００１３】
ガスコンロ１は、図２に示す如く、コンロ本体１１と、コンロ本体１１の上面を覆う天板１２と、天板１２上に露出する複数のコンロバーナ１３と、コンロ本体１１内に設置したグリル１４とを備えている。コンロ本体１１の前面には、グリル１４前面のグリル扉１４ａの右側に位置するコンロバーナ１３用の点消火ボタン１５と、その下側に位置する前方に出没自在なコンロバーナ１３用の操作盤（図示せず）と、グリル扉１４ａの左側に位置するグリル１４用の点消火ボタン１６と、その下側に位置する前方に出没自在なグリル１４用の操作盤１７（図３参照）とが設けられている。また、コンロ本体１内には、ガスコンロ１を制御する制御部１８（図１参照）が設けられ、更に、天板１２上には表示部１９が設けられている。
【００１４】
レンジフード２は、換気扇２１と制御部２２とを内蔵している。また、ガス警報器３は、可燃ガスを検知すると共に臭気等による空気質の悪化を検知するセンサ３１と報知器３２と制御部３３とを内蔵している。ガス警報器３は、換気システムを構築するために、ガスコンロ１との間で無線方式又は有線方式で通信可能であり、更に、レンジフード２との間でも無線方式又は有線方式で通信可能である。そして、ガスコンロ１からガス警報器３に送信されるガスコンロ１の運転指示信号（コンロバーナ１３やグリルバーナの燃焼を指示する信号）及び運転状態信号（コンロバーナ１３やグリルバーナの火力等を示す信号）に基づいて、ガス警報器３からレンジフード２に作動指令信号を送信し、コンロバーナ１３やグリルバーナが燃焼している間レンジフード２の換気扇２１を作動させると共に、コンロバーナ１３やグリルバーナの火力に応じて換気扇２１の回転数を可変する。また、ガス警報器３は、可燃ガスや空気質の悪化を検知したとき、報知器３２を作動させると共に、レンジフード２に作動指令信号を送信して、換気扇２１を作動させる。
【００１５】
ここで、ガス警報器３とガスコンロ１との間での通信を行う警報器連動機能をガスコンロ１で実現させるようにするには、ユーザが以下の設定操作を行う必要がある。先ず、図３に示すグリル１４用の操作盤１７に設けられた設定変更スイッチ１７１を押して、設定変更操作を行う。すると、表示部１９に、図４（ａ）〜（ｄ）に示す各種機能の設定画面が操作盤１７に設けられたアップダウンスイッチ１７２の操作でスクロール表示される。そして、表示部１９に警報器連動機能の設定画面である図４（ｄ）に示す警報器の登録画面が表示されたところで、警報器連動機能の設定操作、即ち、操作盤１７に設けられた＋スイッチ１７３を押す。これにより、図４（ｅ）に示す如く警報器の登録画面に登録中との文字が表示されると共に、ガスコンロ１からガス警報器３に登録信号が送信される。この登録信号をガス警報器３が受信すると、ガス警報器３で「登録しました」との音声が発せられると共に、ガス警報器３からガスコンロ１にアンサ信号が送信される。そして、このアンサ信号をガスコンロ１が受信すると、ガスコンロ１で「登録を完了しました」との音声が発せられると共に、警報器の登録画面が図４（ｆ）に示す如く登録が完了して、警報器連動機能を実現するように設定されたことを表す画面に切り替わる。
【００１６】
ところで、ガス警報器３は、臭気等による空気質の悪化を検知できるように室内の上部に設置する必要がある。ガスコンロ１の使用燃料が空気より比重の重いプロパン等の液化石油ガスである場合は、ガス漏れ検知のためのガス警報器を室内の下部に設置する必要がある。従って、ガスコンロ１の使用燃料が液化石油ガスである場合は、臭気等による空気質の悪化を検知可能な上記ガス警報器３を使用することができず、警報器連動機能は実現不可能である。
【００１７】
ここで、使用燃料が液化石油ガスであるガスコンロ１においても、ユーザが設定変更スイッチ１７１を押して、各種機能の設定画面をスクロール表示させたときに、警報器の登録画面が表示されると、＋スイッチを押して警報器連動機能の設定操作を行ってしまうことがある。この場合、液化石油ガスを検知できるように室内の下部に設置されたガス警報器は、警報器連動機能を使用できないため、アンサ信号を送信しないが、ガスコンロ１はガス警報器からのアンサ信号を待ち続け、警報器の登録画面が何時まで経っても図４（ｆ）の画面に切り替わらず、ユーザに故障しているとの誤解を与えてしまう。
【００１８】
そこで、本実施形態では、ガスコンロ１の使用燃料が液化石油ガスである場合は、設定変更操作で各種機能の設定画面をスクロール表示させる際に、図４（ｄ´）に示す如く警報器の登録画面が表示されないように制御部１８を構成している。そのため、警報器連動機能の設定操作を行ってしまうことでユーザに故障との誤解を与えることを防止できる。
【００１９】
尚、制御部１８には、燃料の種類に応じた制御プログラムが複数種類の燃料に対応できるように複数格納され、更に、設定変更操作で実行する表示プログラムとして、警報器の登録画面を表示するように設定されたプログラムと表示しないように設定されたプログラムとが格納されている。そして、ガスコンロ１の工場出荷時やガス種変換時に、使用燃料の種類として液化石油ガスを選択して入力すると、実行すべきプログラムとして液化石油ガス用の制御プログラムが選択されると共に、警報器の登録画面を表示しないように設定された表示プログラムが選択され、警報器の登録画面を表示しないように制御部１８が構成されることになる。また、制御部１８を使用燃料の種類に応じた専用のものとする場合は、使用燃料が液化石油ガスであるガスコンロに、液化石油ガス用の制御プログラムと警報器の登録画面を表示しないように設定された表示プログラムとを格納した液化石油ガス用の制御部１８を組み込む。
【００２０】
また、ガスコンロ１は、使用燃料の種類に拘らず、運転指示信号及び運転状態信号を赤外線等でレンジフード２に送信して、レンジフード２をガスコンロ１に連動して作動させるレンジフード連動機能を有している。そして、使用燃料が液化石油ガス以外の例えば１３Ａや１２Ａである場合に、上記の如く警報器連動機能の設定が行われると、レンジフード連動機能が自動的に解除される。
【符号の説明】
【００２２】
１…ガスコンロ（燃焼式調理器）、１３…コンロバーナ、１８…制御部、１９…表示部、２…レンジフード（換気装置）、３…ガス警報器。
【図１】
0006669535.tif 000002
【図２】
0006669535.tif 000003
【図３】
0006669535.tif 000004
【図４】
0006669535.tif 000005